(57)【要約】      （修正有）【課題】書き換え型等の記録型の情報記録媒体をより適切に初期状態にさせる。【解決手段】情報記録媒体は、レーザ光の特性を較正するための較正用データを含む記録情報を記録するための第１アドレス情報が含まれる第１記録トラックが形成された第１記録層（Ｌ０層）と、第２アドレス情報が含まれる第２記録トラックが形成された第２記録層（Ｌ１層）とを備え、較正用エリア（Ｆ−ＯＤＴＡ０等）の位置に関する位置情報を記録可能な管理エリア（ＲＭＡ０等）を備える。当該情報記録装置は、位置情報を取得する取得手段（３０１等）と、記録情報を記録する記録手段（３０２等）と、第１及び第２記録トラックにおいて、第１及び第２アドレス情報を夫々検出可能とさせる初期化処理を行う初期化手段（３０２等）と、位置情報に基づいて、較正用エリアにおいて、初期化処理を行うように初期化手段を制御する制御手段（３０５）とを備える。【選択図】  図９
2007066398.tif 000002
【特許請求の範囲】
【請求項１】
レーザ光の特性を較正するための較正用データを含む記録情報の一部を記録又は再生するための第１アドレス情報が含まれる第１記録トラックが形成された第１記録層と、前記第１記録層を透過したレーザ光によって、前記記録情報の他部を記録又は再生するための第２アドレス情報が含まれる第２記録トラックが形成された第２記録層とを少なくとも備え、前記第１記録層、及び前記第２記録層のうち少なくとも一方は、前記較正用データが記録される較正用エリアの位置に関する位置情報を記録可能な管理エリアを備える情報記録媒体に記録する情報記録装置であって、
前記位置情報を取得する取得手段と、
前記記録情報を記録する記録手段と、
前記第１及び第２記録トラックの少なくとも一部において、前記第１及び第２アドレス情報を夫々検出可能とさせる初期化処理を行う初期化手段と、
取得された前記位置情報に基づいて、前記較正用エリアにおいて、前記初期化処理を行うように前記初期化手段を制御する制御手段と
を備えることを特徴とする情報記録装置。
【請求項２】
前記第１アドレス情報は、ランドプリピットに保持されるアドレス情報、又は、ＲＦ信号に含まれるアドレス情報であることを特徴とする請求項１に記載の情報記録装置。
【請求項３】
前記初期化手段は、前記初期化処理として、前記第１又は第２記録層に、所定値の前記記録情報を記録することを特徴とする請求項１又は２に記載の情報記録装置。
【請求項４】
前記初期化手段は、前記初期化処理として、前記第１又は第２記録層に有される記録領域の属性を、データエリアと同じ属性にさせると共に、所定値の前記記録情報を記録することを特徴とする請求項１から３のうちいずれか一項に記載の情報記録装置。
【請求項５】
前記初期化手段は、前記初期化処理として、前記第１又は第２記録層を未記録状態に近づける処理を行うことを特徴とする請求項１から４のうちいずれか一項に記載の情報記録装置。
【請求項６】
前記較正用エリアとして、所定規則に基づいて位置及び記録容量を設定可能な所定の較正用エリアを設定する設定手段を更に備え、
前記初期化手段は、前記所定の較正用エリアに対して、前記初期化処理を行うことを特徴とする請求項１から５のうちいずれか一項に記載の情報記録装置。
【請求項７】
前記設定手段は、前記所定の較正用エリアの位置を、前記情報記録媒体の内周領域、中周領域、及び外周領域のうち少なくとも一の領域において設定することを特徴とする請求項６に記載の情報記録装置。
【請求項８】
前記位置情報は、（ｉ）前記較正用エリアの開始位置を示す開始アドレス、並びに、（ｉｉ−１）前記較正用エリアの終了位置を示す終了アドレス、又は（ｉｉ−２）前記較正用エリアの記録容量に関する情報を含むことを特徴とする請求項１から７のうちいずれか一項に記載の情報記録装置。
【請求項９】
前記位置情報は、前記較正用エリアにおいて、前記較正用データが記録された領域と、前記較正用データが記録されていない領域との境界位置に関する情報を含むことを特徴とする請求項８のうちいずれか一項に記載の情報記録装置。
【請求項１０】
前記情報記録媒体は、複数の前記較正用エリアを備え、
前記位置情報は、前記較正用エリアの単位で、（ｉ）前記較正用エリアの開始位置を示す開始アドレス、並びに、（ｉｉ−１）前記較正用エリアの終了位置を示す終了アドレス、又は（ｉｉ−２）前記較正用エリアの記録容量に関する情報を含むことを特徴とする請求項１から９のうちいずれか一項に記載の情報記録装置。
【請求項１１】
レーザ光の特性を較正するための較正用データを含む記録情報を記録又は再生するためのアドレス情報が含まれる記録トラックが形成された記録層を少なくとも備え、前記較正用データが記録される較正用エリアの位置に関する位置情報を記録可能な管理エリアを備える情報記録媒体に記録する情報記録装置であって、
前記位置情報を取得する取得手段と、
前記記録情報を記録する記録手段と、
前記記録トラックの少なくとも一部において、前記アドレス情報を検出可能とさせる初期化処理を行う初期化手段と、
取得された前記位置情報に基づいて、前記較正用エリアにおいて、前記初期化処理を行うように前記初期化手段を制御する制御手段と
を備えることを特徴とする情報記録装置。
【請求項１２】
レーザ光の特性を較正するための較正用データを含む記録情報の一部を記録又は再生するための第１アドレス情報が含まれる第１記録トラックが形成された第１記録層と、前記第１記録層を透過したレーザ光によって、前記記録情報の他部を記録又は再生するための第２アドレス情報が含まれる第２記録トラックが形成された第２記録層とを少なくとも備え、前記第１記録層、及び前記第２記録層のうち少なくとも一方は、前記較正用データが記録される較正用エリアの位置に関する位置情報を記録可能な管理エリアを備える情報記録媒体に前記記録情報を記録する記録手段を備える情報記録装置における情報記録方法であって、
前記位置情報を取得する取得工程と、
前記第１及び第２記録トラックの少なくとも一部において、前記第１及び第２アドレス情報を夫々検出可能とさせる初期化処理を行う初期化工程と、
取得された前記位置情報に基づいて、前記較正用エリアにおいて、前記初期化処理を行うように前記初期化工程を制御する制御工程と
を備えることを特徴とする情報記録方法。
【請求項１３】
請求項１に記載の情報記録装置に備えられたコンピュータを制御する記録制御用のコンピュータプログラムであって、該コンピュータを、前記取得手段、前記記録手段、前記初期化手段、及び、前記制御手段のうち少なくとも一部として機能させることを特徴とするコンピュータプログラム。
【発明の詳細な説明】
【技術分野】
【０００１】
本発明は、例えばＤＶＤ（Digital Versatile Disc）、ＢＤ（Blu-ray Disc）、ＣＤ（Compact Disc）等のレーザ光を照射することによって記録及び再生が可能な光ディスク等の情報記録媒体に対する、情報記録装置及び方法、並びに、コンピュータプログラムの技術分野に属する。
【背景技術】
【０００２】
例えば、ＣＤ−Ｒ（Compact Disc−Recordable）、ＤＶＤ−Ｒ、ＤＶＤ−ＲＷ、及び、ＤＶＤ＋Ｒ等の記録型の情報記録媒体では、特許文献１、２等に記載されているように、同一基板上に複数の記録層が積層、または貼り合わされてなる多層型若しくはデュアルレイヤ（Dual Layer）型の光ディスク等の情報記録媒体も開発されている。そして、このようなデュアルレイヤ型、即ち、２層型の光ディスクに記録を行う、ＤＶＤレコーダ等の情報記録装置では、レーザ光の照射側から見て最も手前側（即ち、光ピックアップに近い側）に位置する記録層（本願では適宜「Ｌ０層」と称する）に対して記録用のレーザ光を集光することで、Ｌ０層に対して情報を加熱などによる非可逆変化記録方式や相変化などによる書換え可能方式で記録する。他方、Ｌ０層等を介して、レーザ光の照射側から見てＬ０層の奥側（即ち、光ピックアップから遠い側）に位置する記録層（本願では適宜「Ｌ１層」と称する）に対して該レーザ光を集光することで、Ｌ１層に対して情報を加熱などによる非可逆変化記録方式や相変化などによる書換え可能方式で記録することになる。
【０００３】
例えば、Ｌ０層とＬ１層とで記録トラックが反対方向であるオポジット方式の２層記録型の光ディスクにおいては、緩衝用エリアとしてミドルエリアが設けられる。更に、当該ミドルエリアに隣接した外周側に、最適記録パワーを検出するためのパワーキャリブレーション（パワー較正）が行われるＤＴＡ（Disc Testing Area）が設けられる。より詳細には、ＤＴＡには、次の３種類がある。１種類目は、光ディスクの最内周部に、位置が予め固定されているＩＤＴＡ（Inner Disc Testing Area）である。２種類目は、光ディスクの最外周部に位置が予め固定されているミドルエリアに隣接したＯＤＴＡ（Outer Disc Testing Area）である。３種類目は、情報が書き込まれた（書き込まれる）データ量に応じて、情報記録装置（ディスクドライブ）が、データエリア（データレコーダブルエリア）に隣接して外周側に設けられたシフテッドミドルエリア（Shifted Middle Area）に更に隣接したフレキシブルＯＤＴＡ（Flexible ODTA）である。これらシフテッドミドルエリア及びフレキシブルＯＤＴＡは、固定されたミドルエリア及びＯＤＴＡと半径位置において重ならないよう設定される。そして、これらのシフテッドミドルエリア及びフレキシブルＯＤＴＡが設定された場合、ユーザが使用できる記録容量は減少してしまうが、ＩＤＴＡやＯＤＴＡよりも記録特性が好適で安定している記録領域において、パワーキャリブレーションを行うことが可能である。
【０００４】
加えて、特許文献３、４等においては、例えばＤＶＤ−ＲＷ等の書き換え型の光ディスクにおいて、ＤＴＡを所定の記録領域の単位で使用し、ＤＴＡの全体を使用したら、一度、未記録状態にさせてから、再度、ＤＴＡを使用する手法についても提案されている。
【０００５】
また、例えばＤＶＤ−ＲＷ等の書き換え型の光ディスクにおいては、当該光ディスクを初期状態にするために、例えばフォーマット処理やブランク処理等の初期化処理が行われる。詳細には、フォーマット処理（Format Operation）は、記録領域において、例えばゼロ等の所定値のデータを記録する処理であり、ブランク処理（Blank Operation）は、記録領域を未記録状態（消去状態）にする処理である。一般に、光ディスクの全記録領域に対して、フォーマット処理やブランク処理を行うと、初期状態にするまでに、数十分から約１時間等の長時間がかかってしまう。このため、リードインエリアやレコーディングマネージメントエリア（Recording Management Area）等に記録された管理情報だけを対象にして、部分的又は簡易的にフォーマット処理やブランク処理を行う、所謂、クイックフォーマット処理（Quick Format Operation）やミニマムブランク処理（Minimally Blank Operation）が多頻度で行われている。
【０００６】
【特許文献１】特開２０００−３１１３４６号公報
【特許文献２】特開２００１−２３２３７号公報
【特許文献３】特開２００５−０３８４６６号公報
【特許文献４】特開２００３−２７２１５７号公報
【発明の開示】
【発明が解決しようとする課題】
【０００７】
しかしながら、上述したような、例えばＤＶＤ−ＲＷ  ＤＬ（Dual Layer）等の２層書き換え型の光ディスクに対して、情報記録装置が、シフテッドミドルエリアに隣接してフレキシブルＯＤＴＡを設定し、当該フレキシブルＯＤＴＡにおいて、パワーキャリブレーションが行われた場合、クイックフォーマット処理やミニマムブランク処理が行われた光ディスクにおいて、次のような技術的な問題点が生じてしまう。即ち、データエリア内のフレキシブルＯＤＴＡにおいては、例えばゼロデータ等を記録するフォーマット処理や、未記録状態（消去状態）にさせるブランク処理が行われないため、パワーキャリブレーション信号が残ってしまう。このフレキシブルＯＤＴＡにおいては、アドレス信号を含まない、固定されたピットパターンの記録信号によって構成される較正用データ（試し書き用データ）が、例えば十数ステップの低パワーステップから高パワーステップに跨って、順次段階的にレーザパワー（光強度）が切り換えられて記録される。よって、このフレキシブルＯＤＴＡにおいては、較正用データからもアドレス情報を取得することができないばかりか、最適パワーよりも高いパワーで記録されるがゆえに、例えばＬＰＰ（Land Pre-Pit）等のプリフォーマット情報の検出も困難となるので、ＬＰＰからアドレス情報を取得することも技術的に困難となってしまう可能性が生じてしまう。従って、一の情報記録装置によって、クイックフォーマット処理やミニマムブランク処理が行われた光ディスクが、パワーキャリブレーションが行われたフレキシブルＯＤＴＡの位置を知らない他の情報記録装置に装着され、データエリアにおいて記録情報の記録が試みられた場合、フレキシブルＯＤＴＡでパワーキャリブレーションが行われた場所からアドレス情報を取得することができず、サーチすることができない。このため、例えば、他の情報記録装置によって、当該光ディスクのデータエリアの全ての記録領域において、記録情報を書き換え記録することができない可能性があるという技術的な問題点が生じてしまう。
【０００８】
本発明は、例えば上述した従来の問題点に鑑みなされたものであり、例えば書き換え型等の記録型の情報記録媒体を、より適切に初期状態にさせることが可能な情報記録装置及び方法、並びに、コンピュータをこのような情報記録装置として機能させるコンピュータプログラムを提供することを課題とする。
【課題を解決するための手段】
【０００９】
上記課題を解決するために、請求項１に記載の第１の情報記録装置は、レーザ光の特性（パワー）を較正（アドレス情報が検出不可能となる）するための較正用データを含む記録情報の一部を記録又は再生するための第１アドレス情報（LPPとRFアドレス）が含まれる第１記録トラックが形成された第１記録層（Ｌ０層）と、前記第１記録層を透過したレーザ光によって、前記記録情報の他部を記録又は再生するための第２アドレス情報（LPPとRFアドレス）が含まれる第２記録トラックが形成された第２記録層（Ｌ１層）とを少なくとも備え、前記第１記録層、及び前記第２記録層のうち少なくとも一方は、前記較正用データが記録される較正用エリアの位置に関する位置情報（開始終了アドレスを含むＤＴＡ情報）を記録可能な管理エリア（ＲＭＡ）を備える情報記録媒体に記録する情報記録装置であって、前記位置情報を取得する取得手段と、前記記録情報を記録する記録手段と、前記第１及び第２記録トラックの少なくとも一部において、前記第１及び第２アドレス情報を夫々検出可能とさせる初期化処理（Format、Blank）を行う初期化手段と、取得された前記位置情報に基づいて、前記較正用エリアにおいて、前記初期化処理を行うように前記初期化手段を制御する制御手段とを備える。
【００１０】
上記課題を解決するために、請求項１１に記載の第２の情報記録装置は、レーザ光の特性（パワー）を較正（アドレス情報が検出不可能となる）するための較正用データを含む記録情報を記録又は再生するためのアドレス情報（LPPとRFアドレス）が含まれる記録トラックが形成された記録層を少なくとも備え、前記較正用データが記録される較正用エリアの位置に関する位置情報（開始終了アドレスを含むＤＴＡ情報）を記録可能な管理エリア（ＲＭＡ）を備える情報記録媒体に記録する情報記録装置であって、前記位置情報を取得する取得手段と、前記記録情報を記録する記録手段と、前記記録トラックの少なくとも一部において、前記アドレス情報を検出可能とさせる初期化処理（Format、Blank）を行う初期化手段と、取得された前記位置情報に基づいて、前記較正用エリアにおいて、前記初期化処理を行うように前記初期化手段を制御する制御手段とを備える。
【００１１】
上記課題を解決するために、請求項１２に記載の情報記録方法は、レーザ光の特性（パワー）を較正（アドレス情報が検出不可能となる）するための較正用データを含む記録情報の一部を記録又は再生するための第１アドレス情報（LPPとRFアドレス）が含まれる第１記録トラックが形成された第１記録層（Ｌ０層）と、前記第１記録層を透過したレーザ光によって、前記記録情報の他部を記録又は再生するための第２アドレス情報（LPPとRFアドレス）が含まれる第２記録トラックが形成された第２記録層（Ｌ１層）とを少なくとも備え、前記第１記録層、及び前記第２記録層のうち少なくとも一方は、前記較正用データが記録される較正用エリアの位置に関する位置情報（開始終了アドレスを含むＤＴＡ情報）を記録可能な管理エリア（ＲＭＡ）を備える情報記録媒体に前記記録情報を記録する記録手段を備える情報記録装置における情報記録方法であって、前記位置情報を取得する取得工程と、前記第１及び第２記録トラックの少なくとも一部において、前記第１及び第２アドレス情報を夫々検出可能とさせる初期化処理（Format、Blank）を行う初期化工程と、取得された前記位置情報に基づいて、前記較正用エリアにおいて、前記初期化処理を行うように前記初期化工程を制御する制御工程とを備える。
【００１２】
上記課題を解決するために、請求項１３に記載の記録制御用のコンピュータプログラムは、請求項１に記載の情報記録装置に備えられたコンピュータを制御する記録制御用のコンピュータプログラムであって、該コンピュータを、前記取得手段、前記記録手段、前記初期化手段、及び、前記制御手段のうち少なくとも一部として機能させる。
【００１３】
本発明の作用及び他の利得は次に説明する実施の形態から明らかにされよう。
【発明を実施するための最良の形態】
【００１４】
以下、発明を実施するための最良の形態としての本発明の実施形態に係る情報記録装置及び方法、並びに、コンピュータプログラムについて順に説明する。
【００１５】
（情報記録装置に係る第１実施形態）
以下、本発明の第１実施形態に係る情報記録装置について説明する。
【００１６】
本発明の情報記録装置に係る第１実施形態は、レーザ光の特性（パワー）を較正（アドレス情報が検出不可能となる）するための較正用データを含む記録情報の一部を記録又は再生するための第１アドレス情報（LPPとRFアドレス）が含まれる第１記録トラックが形成された第１記録層（Ｌ０層）と、前記第１記録層を透過したレーザ光によって、前記記録情報の他部を記録又は再生するための第２アドレス情報（LPPとRFアドレス）が含まれる第２記録トラックが形成された第２記録層（Ｌ１層）とを少なくとも備え、前記第１記録層、及び前記第２記録層のうち少なくとも一方は、前記較正用データが記録される較正用エリアの位置に関する位置情報（開始終了アドレスを含むＤＴＡ情報）を記録可能な管理エリア（ＲＭＡ）を備える情報記録媒体に記録する情報記録装置であって、前記位置情報を取得する取得手段と、前記記録情報を記録する記録手段と、前記第１及び第２記録トラックの少なくとも一部において、前記第１及び第２アドレス情報を夫々検出可能とさせる初期化処理（Format、Blank）を行う初期化手段と、取得された前記位置情報に基づいて、前記較正用エリアにおいて、前記初期化処理を行うように前記初期化手段を制御する制御手段とを備える。
【００１７】
本発明の情報記録装置に係る第１実施形態によれば、第１記録層と、第２記録層とを備える情報記録媒体に対して、第１記録層の第１記録トラックに沿って、記録情報の書き換え記録が行われる、と同時に又は相前後して、第２記録層の第２記録トラックに沿って、記録情報の書き換え記録が行われる。詳細には、第１記録層に形成された、例えばＬＰＰ（Land Pre Pit）やＲＦ信号等に基づいた第１アドレス情報やクロック情報を読み出し可能な、例えば第１記録トラックに沿って、記録情報の一部が記録される。と同時に又は相前後して、第２記録層に形成された、例えばＬＰＰやＲＦ信号等に基づいた第２アドレス情報やクロック情報を読み出し可能な、例えば第２記録トラックに沿って、記録情報の他部が記録される。更に詳細には、第１記録トラックは、情報記録媒体に備えられた、例えばディスク状の基板の内周側及び外周側のうち一方側から他方側へと向かい、これとは逆に、第２記録トラックは、他方側から一方側へと向かうように構成してもよい。即ち、当該２層型或いは多層型の情報記録媒体では、記録のためのトラックが２つの記録層の間で逆方向を向いている「オポジット方式」による連続記録が可能とされる。従って、第１記録層の終了端に続いて第２記録層の開始端へと、記録を連続的に行うようにすれば、記録情報の記録処理或いは再生処理の対象としての記録層を切り換える際に、基板面内におけるレーザ光の照射位置を半径方向に殆ど又は全く変えないで済むので、迅速な層間ジャンプ（即ち、層間切替動作）が可能となる。これは、例えば映画などの連続した記録情報を記録する際に、記録層の切り換えのために特別なバッファ機能を必要とすることなく、途切れのない再生を行うことが容易となるという意味で、実践上大変便利である。
【００１８】
或いは、更に詳細には、第１記録トラックは、前述した内周側及び外周側のうち一方側から他方側へと向かい、第２記録トラックも、第１記録トラックと同様に、一方側から他方側へと向かうように構成してもよい。即ち、当該２層型或いは多層型の情報記録媒体では、トラックが二つの記録層の間で同一方向を向いている「パラレル方式」による連続記録が可能とされる。このパラレル方式では、第１記録層における記録又は再生が終了されると、第２記録層における記録又は再生が開始される時に、例えば、光ディスクの最外周にある光ピックアップが再度、最内周へ向かって移動する必要があるため、前述したオポジット方式と比較して、第１記録層から第２記録層への切り換え時間がその分だけ掛かってしまう。
【００１９】
特に、本実施形態では、先ず、例えば光ピックアップ等の取得手段によって、較正用データが、例えば消去可能に記録される較正用エリアの位置に関する位置情報（開始終了アドレスを含むＤＴＡ情報）が取得される。次に、例えば、ドライブ又はホストコンピュータのＣＰＵ（Central Processing Unit）等の制御手段の制御下で、光ピックアップ等の初期化手段によって、取得された位置情報に基づいて、例えばパワーキャリブレーションのため実際に使用された記録領域を含むと共に、例えば所定規則に基づいて位置及び記録容量を設定可能な較正用エリアが、例えば初期状態にされると共に、第１及び第２アドレス情報を夫々検出可能とさせる初期化処理が行われる。詳細には、初期化処理においては、光ディスクの記録領域の少なくとも一部を初期状態にするために、例えば（ｉ）記録領域において、例えばゼロ等の所定値のデータを記録する処理であるフォーマット処理（Format Operation）が行われたり、（ｉｉ）記録領域を未記録状態（消去状態）にする処理であるブランク処理（Blank Operation）が行われたりする。即ち、フレキシブルＯＤＴＡ等の較正用エリアが初期状態となり、記録情報に含まれるアドレス信号から第１及び第２アドレス情報を取得することができると共に、例えばＬＰＰ等のプリフォーマット情報の検出も可能であるので、ＬＰＰから第１及び第２アドレス情報を取得することも可能性である。
【００２０】
この結果、一の情報記録装置によって、例えばクイックフォーマット処理やミニマムブランク処理等の初期化処理が行われた２層型の光ディスク等の２層型の情報記録媒体が、フレキシブルＯＤＴＡ等の較正用エリアの位置を識別できない他の情報記録装置に装着され、記録情報の記録が試みられる場合でも、初期状態となった較正用エリアを含むデータエリアの記録領域の全体からアドレス情報を取得しサーチすることが可能である。従って、他の情報記録装置によって、当該光ディスクにおける、初期状態となった較正用エリアを含むデータエリアの全ての記録領域において、記録情報を適切に書き換え記録することが可能となる。
【００２１】
以上の結果、例えばＤＶＤ−ＲＷ  ＤＬ（Dual Layer）等の書き換え型の光ディスクに対して、情報記録装置は、例えばクイックフォーマット処理やミニマムブランク処理を含む初期化処理をより適切に行うことが可能である。
【００２２】
本発明の情報記録装置に係る第１実施形態の一の態様では、前記第１アドレス情報は、ランドプリピットに保持されるアドレス情報、又は、ＲＦ信号に含まれるアドレス情報である。
【００２３】
この態様によれば、例えば、制御手段の制御下で、初期化手段によって、取得された位置情報に基づいて、より高精度に特定可能な較正用エリアにおいて、初期化処理が行うことが可能である。
【００２４】
本発明の情報記録装置に係る第１実施形態の他の態様では、前記初期化手段は、前記初期化処理として、前記第１又は第２記録層に、所定値（ゼロ又はNull）の前記記録情報を記録する。
【００２５】
この態様によれば、初期化手段によって、取得された位置情報に基づいて、較正用エリアが、例えばゼロデータ等の所定値の記録により、より適切且つ迅速に初期状態にされることが可能となる。
【００２６】
本発明の情報記録装置に係る第１実施形態の他の態様では、前記初期化手段は、前記初期化処理として、前記第１又は第２記録層に有される記録領域の属性を、データエリアと同じ属性にさせると共に、所定値（ゼロ又はNull）の前記記録情報を記録する。
【００２７】
この態様によれば、初期化手段によって、取得された位置情報に基づいて、較正用エリアが、データエリアと同じ属性にされると共に、例えばゼロデータ等の所定値の記録により、より適切且つ迅速に初期状態にされることが可能となる。
【００２８】
本発明の情報記録装置に係る第１実施形態の他の態様では、前記初期化手段は、前記初期化処理として、前記第１又は第２記録層を未記録状態に近づける処理を行う。
【００２９】
この態様によれば、初期化手段によって、取得された位置情報に基づいて、較正用エリアが、未記録状態に近づけられることにより、より適切且つ迅速に初期状態にされることが可能となる。
【００３０】
本発明の情報記録装置に係る第１実施形態の他の態様では、前記較正用エリアとして、所定規則に基づいて位置及び記録容量を設定可能な所定の較正用エリア（FlexibleODTA又はODTA等）を設定する設定手段を更に備え、前記初期化手段は、前記所定の較正用エリアに対して、前記初期化処理を行う。
【００３１】
この態様によれば、初期化手段によって、例えばFlexibleODTA等の、所定規則に基づいて位置及び記録容量を設定可能な所定の較正用エリアを、位置情報に基づいてより適切且つ迅速に初期状態にさせることが可能となる。ここに、本願発明に係る「所定規則」とは、例えば所定の計算式、所定の関数、又は、所定のテーブル等によって、記録領域の位置及び記録容量（大きさ）を一義的に特定可能な規則である。
【００３２】
この設定手段に係る態様では、前記設定手段は、前記所定の較正用エリアの位置を、前記情報記録媒体の内周領域、中周領域、及び外周領域のうち少なくとも一の領域において設定するように構成してもよい。
【００３３】
このように構成すれば、光ディスク等の情報記録媒体の記録領域のうち、より適切な一の領域において、レーザ光のパワーキャリブレーションを行うことが可能となる。
【００３４】
本発明の情報記録装置に係る第１実施形態の他の態様では、前記位置情報は、（ｉ）前記較正用エリアの開始位置を示す開始アドレス、並びに、（ｉｉ−１）前記較正用エリアの終了位置を示す終了アドレス、又は（ｉｉ−２）前記較正用エリアの記録容量に関する情報を含む。
【００３５】
この態様によれば、制御手段の制御下で、初期化手段は、開始アドレス、及び終了アドレス（又は記録容量）に関する位置情報に基づいて、より高精度に特定可能な較正用エリアにおいて、初期化処理を行うことが可能である。
【００３６】
この位置情報に係る態様では、前記位置情報は、前記較正用エリアにおいて、前記較正用データが記録された領域と、前記較正用データが記録されていない領域との境界位置に関する情報を含むように構成してもよい。
【００３７】
このように構成すれば、制御手段の制御下で、初期化手段は、位置情報に基づいて、較正用エリアのうち少なくとも較正用エリアにおいて、初期化処理を適切且つ迅速に行うことが可能である。
【００３８】
本発明の情報記録装置に係る第１実施形態の他の態様では、前記情報記録媒体は、複数の前記較正用エリアを備え、前記位置情報は、前記較正用エリアの単位で、（ｉ）前記較正用エリアの開始位置を示す開始アドレス、並びに、（ｉｉ−１）前記較正用エリアの終了位置を示す終了アドレス、又は（ｉｉ−２）前記較正用エリアの記録容量に関する情報を含む。
【００３９】
この態様によれば、制御手段の制御下で、初期化手段は、較正用エリアの単位で示された、開始アドレス、及び終了アドレス（又は記録容量）に関する位置情報に基づいて、より高精度に特定可能な較正用エリアにおいて、初期化処理を行うことが可能である。
【００４０】
（情報記録装置の第２実施形態）
以下、本発明の第２実施形態に係る情報記録装置について説明する。
【００４１】
本発明の情報記録装置に係る第２実施形態は、レーザ光の特性（パワー）を較正（アドレス情報が検出不可能となる）するための較正用データを含む記録情報を記録又は再生するためのアドレス情報（LPPとRFアドレス）が含まれる記録トラックが形成された記録層を少なくとも備え、前記較正用データが記録される較正用エリアの位置に関する位置情報（開始終了アドレスを含むＤＴＡ情報）を記録可能な管理エリア（ＲＭＡ）を備える情報記録媒体に記録する情報記録装置であって、前記位置情報を取得する取得手段と、前記記録情報を記録する記録手段と、前記記録トラックの少なくとも一部において、前記アドレス情報を検出可能とさせる初期化処理（Format、Blank）を行う初期化手段と、取得された前記位置情報に基づいて、前記較正用エリアにおいて、前記初期化処理を行うように前記初期化手段を制御する制御手段とを備える。
【００４２】
本発明の情報記録装置に係る第２実施形態によれば、上述した第１実施形態と概ね同様にして、先ず、取得手段によって、較正用データが、例えば消去可能に記録される較正用エリアの位置に関する位置情報が取得される。次に、制御手段の制御下で、初期化手段によって、取得された位置情報に基づいて、較正用エリアが、初期状態にされると共に、アドレス情報を検出可能とさせる初期化処理が行われる。
【００４３】
この結果、一の情報記録装置によって、例えばクイックフォーマット処理やミニマムブランク処理等の初期化処理が行われた単層型の光ディスク等の単層型の情報記録媒体が、較正用エリアの位置を識別できない他の情報記録装置に装着され、記録情報の記録が試みられる場合でも、初期状態となった較正用エリアを含むデータエリアの記録領域の全体からアドレス情報を取得しサーチすることが可能である。従って、他の情報記録装置によって、当該光ディスクにおける、初期状態となった較正用エリアを含むデータエリアの全ての記録領域において、記録情報を適切に書き換え記録することが可能性となる。
【００４４】
以上の結果、例えばＤＶＤ−ＲＷ等の単層書き換え型の光ディスクに対して、情報記録装置は、例えばクイックフォーマット処理やミニマムブランク処理を含む初期化処理をより適切に行うことが可能である。
【００４５】
尚、上述した本発明の情報記録装置に係る第１実施形態が有する各種態様に対応して、本発明の情報記録装置に係る第２実施形態も各種態様を採ることが可能である。
【００４６】
（情報記録方法の実施形態）
以下、本発明の実施形態に係る情報記録方法について説明する。
【００４７】
本発明の情報記録方法に係る実施形態は、レーザ光の特性（パワー）を較正（アドレス情報が検出不可能となる）するための較正用データを含む記録情報の一部を記録又は再生するための第１アドレス情報（LPPとRFアドレス）が含まれる第１記録トラックが形成された第１記録層（Ｌ０層）と、前記第１記録層を透過したレーザ光によって、前記記録情報の他部を記録又は再生するための第２アドレス情報（LPPとRFアドレス）が含まれる第２記録トラックが形成された第２記録層（Ｌ１層）とを少なくとも備え、前記第１記録層、及び前記第２記録層のうち少なくとも一方は、前記較正用データが記録される較正用エリアの位置に関する位置情報（開始終了アドレスを含むＤＴＡ情報）を記録可能な管理エリア（ＲＭＡ）を備える情報記録媒体に前記記録情報を記録する記録手段を備える情報記録装置における情報記録方法であって、前記位置情報を取得する取得工程と、前記第１及び第２記録トラックの少なくとも一部において、前記第１及び第２アドレス情報を夫々検出可能とさせる初期化処理（Format、Blank）を行う初期化工程と、取得された前記位置情報に基づいて、前記較正用エリアにおいて、前記初期化処理を行うように前記初期化工程を制御する制御工程とを備える。
【００４８】
本発明の情報記録方法に係る実施形態によれば、上述した本発明の情報記録装置に係る第１実施形態が有する各種利益を享受することが可能となる。
【００４９】
尚、上述した本発明の情報記録装置に係る第１実施形態が有する各種態様に対応して、本発明の情報記録方法に係る実施形態も各種態様を採ることが可能である。
【００５０】
（コンピュータプログラムの実施形態）
以下、本発明の実施形態に係るコンピュータプログラムについて説明する。
【００５１】
本発明の記録制御用のコンピュータプログラムは、上述した本発明の情報記録装置に係る実施形態（但し、その各種態様を含む）に備えられたコンピュータを制御する記録制御用のコンピュータプログラムであって、該コンピュータを、前記取得手段、前記記録手段、前記初期化手段、及び、前記制御手段のうち少なくとも一部として機能させる。
【００５２】
本発明に係るコンピュータプログラムの実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置に係る実施形態を比較的簡単に実現できる。
【００５３】
尚、上述した本発明の情報記録装置に係る実施形態における各種態様に対応して、本発明のコンピュータプログラムに係る各実施形態も各種態様を採ることが可能である。
【００５４】
本実施形態のこのような作用及び他の利得は次に説明する実施例から明らかにされる。
【００５５】
以上説明したように、本発明の情報記録装置及び方法に係る第１及び第２実施形態によれば、取得手段及び工程、記録手段及び工程、前記初期化手段及び工程、並びに、制御手段及び工程を備える。この結果、例えばＤＶＤ−ＲＷ  ＤＬ（Dual Layer）やＤＶＤ−ＲＷ単層型の光ディスク等の書き換え型の光ディスクに対して、例えばクイックフォーマット処理やミニマムブランク処理を含む初期化処理をより適切に行うことが可能である。
【００５６】
更に、また、本発明のコンピュータプログラムに係る実施形態によれば、コンピュータを上述した本発明の情報記録装置に係る実施形態として機能させるので、上述した、例えばＤＶＤ−ＲＷ  ＤＬ（Dual Layer）の光ディスク等の書き換え型の光ディスクに対して、情報記録装置は、例えばクイックフォーマット処理やミニマムブランク処理を含む初期化処理をより適切に行うことが可能である。
【実施例】
【００５７】
以下、本発明の実施例を図面に基づいて説明する。
【００５８】
（１）情報記録媒体の実施例
次に、図１から図８を参照して、本発明の情報記録媒体の実施例について詳細に説明する。
【００５９】
（１−１）基本構成
先ず図１を参照して、本発明の情報記録媒体の実施例に係る光ディスクの基本構造について説明する。ここに、図１は、本発明の情報記録媒体の実施例に係る複数の記録領域を有する光ディスクの基本構造を示した概略平面図（図１（ａ））、及び、該光ディスクの概略断面図に対応付けられた、その半径方向における記録領域構造の図式的概念図（図１（ｂ））である。尚、本実施例に係る光ディスクにおいては、Ｌ０層のトラックパスと、Ｌ１層のトラックパスとが反対の記録方向であるオポジット方式が記録方式の一具体例として採用されている。
【００６０】
図１（ａ）及び図１（ｂ）に示されるように、光ディスク１００は、例えば、ＤＶＤと同じく直径１２ｃｍ程度のディスク本体上の記録面に、センターホール１を中心として本実施例に係るリードインエリア１０１又はリードアウトエリア１０３、データエリア１０２、並びに、ミドルエリア１０４が設けられている。そして、光ディスク１００の例えば、透明基板１０６に、Ｌ０層及びＬ１層等の記録層が積層されている。そして、この記録層の各記録領域には、例えば、センターホール１を中心にスパイラル状或いは同心円状に、例えば、グルーブトラック及びランドトラック等のトラック１０が交互に設けられている。また、このトラック１０上には、データがＥＣＣ（Error Correction Code）ブロック１１という単位で分割されて記録される。ＥＣＣブロック１１は、記録情報がエラー訂正可能なデータ管理単位である。
【００６１】
尚、本発明は、このような三つのエリアを有する光ディスクには特に限定されない。例えば、リードインエリア１０１又はリードアウトエリア１０３、並びにミドルエリア１０４が存在せずとも、以下に説明するデータ構造等の構築は可能である。また、後述するように、リードインエリア１０１又はリードアウト１０３、並びにミドルエリア１０４は更に細分化された構成であってもよい。
【００６２】
本実施例に係る光ディスク１００は、図１（ｂ）に示されるように、例えば、透明基板１０６に、後述される本発明に係る第１及び第２記録層の一例を構成するＬ０層及びＬ１層が積層された構造をしている。このような二層型の光ディスク１００の記録再生時には、図１（ｂ）中、下側から上側に向かって照射されるレーザ光ＬＢの集光位置をいずれの記録層に合わせるかに応じて、Ｌ０層における記録再生が行なわれるか又はＬ１層における記録再生が行われる。また、本実施例に係る光ディスク１００は、２層片面、即ち、デュアルレイヤに限定されるものではなく、２層両面、即ちデュアルレイヤーダブルサイドであってもよい。更に、上述の如く２層の記録層を有する光ディスクに限られることなく、単層型の光ディスクであってもよいし、３層以上の多層型の光ディスクであってもよい。尚、２層型光ディスクにおけるオポジット方式による記録又は再生手順、並びに、各層におけるデータ構造については、後述される。
【００６３】
（１−２）詳細構成
次に、図２から図６を参照して、本発明の情報記録媒体の実施例に係る２層型光ディスクの詳細構成について説明する。より具体的には、図２から図６を参照して、２層型光ディスクのデータ構造、該光ディスクの記録領域におけるＥＣＣブロックを構成する物理的セクタ番号等のアドレス、並びに、該光ディスクのオポジット方式による記録又は再生手順について説明する。ここに、図２は、本発明の情報記録媒体の実施例に係る２層型光ディスクのデータ構造及び該光ディスクの記録領域におけるＥＣＣブロックを構成する物理的セクタ番号等のアドレス、並びに、該光ディスクのオポジット方式による記録又は再生方法を示した一の概念的グラフである。図３は、本発明の情報記録媒体の実施例に係る２層型光ディスクのデータ構造及び該光ディスクの記録領域におけるＥＣＣブロックを構成する物理的セクタ番号等のアドレス、並びに、該光ディスクのオポジット方式による記録又は再生方法を示した他の概念的グラフである。尚、図２及び図３中の縦軸は、例えば１６進数で表現されたセクタ番号等のアドレスを示し、横軸は、光ディスクの半径方向の相対的な位置を示す。
【００６４】
図２に示されるように、本発明の情報記録媒体の実施例に係る２層型光ディスク１００は、図示しない透明基板に積層された２層の記録層、即ち、Ｌ０層とＬ１層とを備えて構成されている。具体的には、Ｌ０層には、内周側から外周側にかけて、最適記録パワーの検出（パワーキャリブレーション、較正処理、ＯＰＣ（Optimum Power Control）処理）のためのインナーディスクテスティングエリア（Inner Disc Testing Area）ＩＤＴＡ０、レコーディングマネージメントエリア（Recording Management Area）ＲＭＡ０、リードインエリア１０１−０、データエリア１０２−０、ミドルエリア１０４−０、アウターディスクテスティングエリア（Outer Disc Testing Area）ＯＤＴＡ０が設けられている。尚、ＩＤＴＡ０、ＩＤＴＡ１、ＯＤＴＡ０、及び、ＯＤＴＡ１内の矢印は、パワーキャリブレーションのために記録領域が消費されていく方向を示している。
【００６５】
ＲＭＡ０（及び、後述されるＲＭＡ１）においては、本発明に係る「位置情報」を含む「管理情報」の一例を構成するＲＭＤ（Recording Management Data）が記録可能である。詳細には、ＲＭＡ０（ＲＭＡ１）においては、ＲＭＤが、約８１８回程度追記することが可能である。このＲＭＡ０（ＲＭＡ１）によって、本願発明に係る「管理エリア」の一例が構成されている。
【００６６】
リードインエリア１０１−０には、コントロールデータゾーンＣＤＺが設けられている。このコントロールデータゾーンＣＤＺには、例えば記録層の数や記録トラックの方向やトラックピッチ等の各種情報が、例えばレーザ光等によってプリ記録される。データエリア１０２−０には、記録情報が記録可能である。ミドルエリア１０４−０は、Ｌ０層及びＬ１層に対する記録又は再生位置が未記録領域や基板外へ外れることを防止する基本機能を有するが、層間ジャンプの際に記録又は再生位置が未記録領域や基板外に外れることを防止する、言わば「ジャンプ緩衝用エリア」としての機能も有する。
【００６７】
他方、Ｌ１層には、外周側から内周側にかけて、ＯＤＴＡ１、ミドルエリア１０４−１、データエリア１０２−１、リードアウトエリア１０３−１、ＲＭＡ１、及び、ＩＤＴＡ１が設けられている。より詳細には、ＲＭＡ０（ＲＭＡ１）と、ＩＤＴＡ０（ＩＤＴＡ１）と、ＯＤＴＡ０（ＯＤＴＡ１）とを合わせて「R-Information Area」と称しても良い。また、上述したリードインエリア１０１−０（１０１−１）、データエリア１０２−０（１０２−１）、及びミドルエリア１０４−０（１０４−１）を合わせて「Information Area」と称しても良い。
【００６８】
また、本実施例に係る光ディスク１００においては、図３に示されるように、例えばインクリメンタルレコーディング（Incremental Recording）方式や、レイヤージャンプレコーディング（Layer Jump Recording）方式等において、記録情報のデータ量が光ディスクの全記録容量より比較的に少ない場合、データエリア１０２−０（１０２−１）の外周端を内周側に配置させるように構成してもよい。この場合、当該光ディスク１００においては、データエリア１０２−０（１０２−１）の外周端から更に外周側に位置する所定地点において、Ｓｈｉｆｔｅｄミドルエリア（シフテッドミドルエリア）１０４ｓ−０（Ｓｈｉｆｔｅｄミドルエリア１０４ｓ−１）、及びフレキシブルアウターディスクテスティングエリアＦ−ＯＤＴＡ０（Ｆ−ＯＤＴＡ１）を備えて構成してもよい。また、本願発明に係る「較正用エリア」の一の具体例がこのＦ−ＯＤＴＡ０（Ｆ−ＯＤＴＡ１）によって構成されている。
【００６９】
（１−２−１）具体的な構成
ここで、図４及び図５を参照して、（ｉ）Ｆ−ＯＤＴＡ０（Ｆ−ＯＤＴＡ１）の位置の設定方法の一具体例（即ち、本発明の所定規則の一具体例）、及び、（ｉｉ）Ｆ−ＯＤＴＡ０（Ｆ−ＯＤＴＡ１）において較正用データが記録されていく順番の一具体例について説明する。ここに、図４は、本発明の較正用エリアに係るＦ−ＯＤＴＡ０（Ｆ−ＯＤＴＡ１）の位置の設定方法の一具体例を図式的に示した模式図である。図５は、本発明の較正用エリアに係るＦ−ＯＤＴＡ０（Ｆ−ＯＤＴＡ１）において較正用データが記録されていく順番の一具体例を図式的に示した模式図である。尚、図４中の矢印方向は、Ｌ０層及びＬ１層において、記録情報が記録される記録トラックの方向を夫々示す。また、図４中での記録トラックの方向は、オポジット方式に基づく方向を示している。また、図５中の一つの矢印方向は、較正用データが記録される記録方向を示す。
【００７０】
図４に示されるように、Ｌ０層のＦ−ＯＤＴＡ０の位置は、次のようにして設定される。先ず、Ｓｈｉｆｔｅｄミドルエリア１０４ｓ−０の開始端が決定される（ステップＳ１）。次に、所定の記録容量を保持できるようにＳｈｉｆｔｅｄミドルエリア１０４ｓ−０の終了端が決定される（ステップＳ２）。次に、Ｆ−ＯＤＴＡ０の開始端が決定される（ステップＳ３）。次に、所定の記録容量を保持できるようにＦ−ＯＤＴＡ０の終了端が決定される（ステップＳ４）。同様にして、Ｌ１層のＦ−ＯＤＴＡ１の位置は、Ｌ０層と概ね同様にして、次のように設定される。先ず、Ｓｈｉｆｔｅｄミドルエリア１０４ｓ−１の終了端が決定される（ステップＳ１ａ）。次に、所定の記録容量を保持できるようにＳｈｉｆｔｅｄミドルエリア１０４ｓ−１の開始端が決定される（ステップＳ２ａ）。次に、Ｆ−ＯＤＴＡ１の終了端が決定される（ステップＳ３ａ）。次に、所定の記録容量を保持できるようにＦ−ＯＤＴＡ１の開始端が決定される（ステップＳ４ａ）。
【００７１】
より詳細には、Ｆ−ＯＤＴＡ０において較正用データが記録されていく順番の一具体例は、図５の下側部に示されるように、右向きの太線の矢印の一つに対応される、例えば較正用データを記録する較正処理（以下、適宜「ＯＰＣ（Optimum Power Control）処理」と称す）が、例えば較正用エリアの外周部において、１回目として実行される。以下、同様にして、２回目、３回目の較正処理が、例えば外周側から内周側に向かって実行される。特に、ｎ回目の較正処理を経て、Ｆ−ＯＤＴＡ０において、較正用データが記録された領域と、較正用データが記録されていない領域との境界位置に関する情報が前述したＲＭＡに記録されるようにしてもよい。他方、Ｆ−ＯＤＴＡ１において較正用データが記録されていく順番の一具体例は、図５の上側部に示されるように、左向きの太線の矢印の一つに対応される、例えば較正用データを記録する較正処理（ＯＰＣ処理）が、例えば較正用エリアの内周部において、１回目として実行される。以下、同様にして、２回目、３回目の較正処理が、例えば内周側から外周側に向かって実行される。特に、ｎ回目の較正処理を経て、Ｆ−ＯＤＴＡ１において、較正用データが記録された領域と、較正用データが記録されていない領域との境界位置に関する情報が前述したＲＭＡに記録されるようにしてもよい。
【００７２】
再び、図２及び図３の説明に戻る。以上のように２層型光ディスク１００は構成されているので、該光ディスク１００の記録又は再生の際には、後述される本発明の情報記録装置の一具体例に係る情報記録再生装置の光ピックアップ等によって、レーザ光ＬＢは、図示しない基板の側から、即ち、図２及び図３中の下側から上側に向けて照射され、その焦点距離等が制御されると共に、光ディスク１００の半径方向における移動距離及び方向が制御される。これにより、夫々の記録層にデータが記録され、又は、記録されたデータが再生される。
【００７３】
本発明の情報記録媒体の実施例に係る２層型光ディスクの記録又は再生手順として、オポジット方式が採用されている。ここに、オポジット方式とは、より詳細には、２層型光ディスクの記録又は再生手順として、後述される情報記録再生装置の光ピックアップが、Ｌ０層において、内周側から外周側へ向かって、即ち、図２及び図３中の矢印の右方向へ移動するのとは逆に、Ｌ１層においては、光ピックアップが外周側から内周側へ向かって、即ち、図２及び図３中の矢印の左方向へ移動することによって、２層型光ディスクにおける記録又は再生が行われる方式である。このオポジット方式では、Ｌ０層における記録又は再生が終了されると、Ｌ１層における記録又は再生が開始される時に、光ディスクの最外周にある光ピックアップが再度、最内周へ向かって移動する必要はなく、Ｌ０層からＬ１層への焦点距離だけを切り替えればよいため、Ｌ０層からＬ１層への切り替え時間がパラレル方式と比較して短いという利点があるため大容量のコンテンツ情報の記録には採用されている。
【００７４】
具体的には、図２のグラフ部分において示されるように、先ず、Ｌ０層において、光ピックアップがリードインエリア１０１−０、データエリア１０２−０及びミドルエリア１０４−０を内周側から外周側へ移動するにつれて光ディスク１００の記録領域におけるセクタ番号等のアドレスは増加していく。より具体的には、光ピックアップが、ＩＤＴＡ０を特定可能な「Ａ１」点と「Ａ２」点、ＲＭＡ０を特定可能な「Ｂ１」点と「Ｂ２」点、リードインエリア１０１−０を特定可能な「Ｃ１」点と「Ｃ２」点、データエリア１０２−０を特定可能な「Ｄ１」点と「Ｄ２」点に順次アクセスして、緩衝の役目を果たすミドルエリア１０４−０（開始位置は「Ｅ１」点であり、終了位置は「Ｅ２」点である）と移動されることによって、Ｌ０層における記録又は再生が行われる。他方、Ｌ１層において、具体的には、光ピックアップがミドルエリア１０４−１、データエリア１０２−１及びリードアウトエリア１０３−１を外周側から内周側へ移動するにつれて光ディスク１００の記録領域におけるセクタ番号は増加していく。より具体的には、光ピックアップが、緩衝の役目を果たすミドルエリア１０４−１（開始位置は「Ｈ１」点であり、終了位置は「Ｈ２」点である）、データエリア１０２−１の開始位置「Ｉ１」点、データエリア１０２−１の終了位置「Ｉ２」点に順次アクセスして、リードアウトエリア１０３−１（開始位置は「Ｊ１」点であり、終了位置は「Ｊ２」点である）へと移動されることによって、Ｌ１層における記録又は再生が行われる。尚、ＯＤＴＡ０は、「Ｆ１」点と「Ｆ２」点によって特定可能であり、ＯＤＴＡ１は、「Ｇ１」点と「Ｇ２」点によって特定可能であり、ＲＭＡ１は、「Ｋ１」点と「Ｋ２」点によって特定可能であり、ＩＤＴＡ１は、「Ｌ１」点と「Ｌ２」点によって特定可能である。
【００７５】
以上説明したＬ０層とＬ１層とにおけるセクタ番号等のアドレスは全て、例えば１６進数における１５の補数の関係等の所定の相関関係にあるようにしてもよい。より具体的には、例えば、Ｌ０層における折り返し点（例えばセクタ番号「１ＡＦＦＦＦｈ」）とＬ１層における折り返し点（例えばセクタ番号「Ｅ５００００ｈ」）は１５の補数の関係にあるようにしてもよい。尚、本実施例において、「３００００ｈ」等の末尾の「ｈ」とは１６進数で表現されていることを示す。形式的には、「１ＡＦＦＦＦｈ」の補数は、１６進数のセクタ番号「１ＡＦＦＦＦｈ」を２進数「０００１１０１０１１１１１１１１１１１１１１１１」に変換してからビット反転（インバート：invert）「１１１００１０１００００００００００００００００」させ、１６進数「Ｅ５００００ｈ」に再変換させることによって求められる。
【００７６】
以上説明した物理的セクタ番号に対して、論理ブロックアドレス（ＬＢＡ：Logical Block Address）が、１対１に割り付けられているようにしてもよい。より具体的には、例えば、セクタ番号「０３００００ｈ」には「００００００」ＬＢＡが対応し、セクタ番号「１ＡＦＦＦＦｈ」には、「１７ＦＦＦＦ」ＬＢＡが対応するようにしてもよい。また、セクタ番号「Ｅ５００００ｈ」には、「１８００００」ＬＢＡが対応し、セクタ番号「ＦＣＦＦＥＦｈ」には、「２ＦＦＦＥＦ」ＬＢＡが対応する。よって、例えば、ホストコンピュータは、物理的セクタ番号に意識することなく、例えば、ファイルシステムによって管理された論理ブロックアドレスに従って記録及び再生動作を行うことが可能となる。
【００７７】
（１−３）位置情報
次に、図６を参照して、本発明の位置情報、及び、当該位置情報に係るＤＴＡ情報（Disc Testing Area Information）の一具体例について説明する。ここに、図６は、本発明の位置情報の一具体例を示したテーブル（図６（ａ））、及び本発明の位置情報に係るＤＴＡ情報のデータ構造の一具体例を示したテーブル（図６（ｂ））である。
【００７８】
図６（ａ）に示されるように、本発明の位置情報５０は、ＩＤＴＡ０（ＩＤＴＡ１）、ＯＤＴＡ０（ＯＤＴＡ１）、及び、Ｆ−ＯＤＴＡ０（Ｆ−ＯＤＴＡ１）の位置を夫々特定し管理するために、夫々対応した位置情報を複数含むようにしてもよい。即ち、位置情報５０は、１番目に、Ｌ０層のＩＤＴＡ０の位置を特定し管理するための位置情報を含み、２番目に、Ｌ１層のＩＤＴＡ１の位置を特定し管理するための位置情報を含み、３番目に、Ｌ０層のＯＤＴＡ０の位置を特定し管理するための位置情報を含み、４番目に、Ｌ１層のＯＤＴＡ１の位置を特定し管理するための位置情報を含み、５番目に、Ｌ０層のＦ−ＯＤＴＡ０の位置を特定し管理するための位置情報を含み、６番目に、Ｌ１層のＦ−ＯＤＴＡ１の位置を特定し管理するための位置情報を含むようにしてもよい。尚、位置情報５０は、例えばレコーディングマネージメントエリアＲＭＡに直接的に記録可能であるようにしてもよい。或いは、位置情報５０は、例えばレコーディングマネージメントデータＲＭＤ（以下、適宜「ＲＭＤ」と称す）に含まれ、このＲＭＤを介して間接的に記録可能であるようにしてもよい。尚、位置情報は、確保された又は確保される、ＩＤＴＡ０（ＩＤＴＡ１）、ＯＤＴＡ０（ＯＤＴＡ１）、及び、Ｆ−ＯＤＴＡ０（Ｆ−ＯＤＴＡ１）の内部において、実際にパワーキャリブレーションが行われた記録領域の位置を示すアドレス等の位置情報を含むようにしてもよい。
【００７９】
具体的には、図６（ｂ）に示されるように、位置情報の一具体例であるＤＴＡ情報（Disc Testing Area Information）５０ａは、例えばバイト単位で割り付けられた０から２０４７の番号で指定可能であるデータ位置の０から３番目に、Ｌ０層のＩＤＴＡ０の開始アドレスを含み、データ位置の４から７番目に、Ｌ０層のＩＤＴＡ０の終了アドレスを含むようにしてもよい。同様にして、データ位置の８から１１番目に、Ｌ１層のＩＤＴＡ１の開始アドレスを含み、データ位置の１２から１５番目に、Ｌ１層のＩＤＴＡ１の終了アドレスを含み、・・・、最後の有効なデータ位置において、データ位置の１１４４から１１４７番目に、ディスクテスティングエリアＤＴＡ「ｎ」（但し、ｎは自然数）の開始アドレスを含み、データ位置の１１４８から１１５１番目に、ディスクテスティングエリアＤＴＡ「ｎ」の終了アドレスを含むようにしてもよい。尚、データ位置の１１５２から２０４７番目は、予備のフィールドとされるようにしてもよい。尚、開始アドレス、及び終了アドレスを示す情報は、例えば４バイト（Ｂｙｔｅｓ）のデータ量を夫々保持するようにしたが、他のデータ量で良いことは言うまでもない。また、データ位置もバイト単位で割り付けられた番号で指定可能であるようにしたが、他の情報量の単位に基づいて指定可能であるようにしてもよい。更に、また、ＤＴＡ情報は、ディスクテスティングエリアＤＴＡの終了位置を示す終了アドレスの代わりに、ディスクテスティングエリアＤＴＡのデータ量を示す情報を含むようにしてもよい。更に、また、ＤＴＡ情報は、確保された又は確保される、ＩＤＴＡ０（ＩＤＴＡ１）、ＯＤＴＡ０（ＯＤＴＡ１）、及び、Ｆ−ＯＤＴＡ０（Ｆ−ＯＤＴＡ１）の内部において、実際にパワーキャリブレーションが行われた記録領域の位置を示すアドレスを含むようにしてもよい。
【００８０】
（１−４）本発明のクイックフォーマット処理における具体的な手順
次に、図７を参照して、本発明のクイックフォーマット処理（Quick Format Operation）における具体的な手順について、その作用効果の検討を含めて説明する。ここに、図７は、本発明の情報記録媒体の実施例に係る光ディスクに、本発明のクイックフォーマット処理（Quick Format Operation）の各手順が施された記録領域のデータ構造の変化を模式的に示したデータ構造図（図７（ａ）から図７（ｅ））である。
【００８１】
先ず、図７（ａ）に示されるように、例えばＤＶＤレコーダー等の情報記録装置によって、先ず、ＩＤＴＡ０（ＩＤＴＡ１）や、ＯＤＴＡ０（ＯＤＴＡ１）や、Ｆ−ＯＤＴＡ０（Ｆ−ＯＤＴＡ１）におけるパワーキャリブレーションが行われる。特に、このパワーキャリブレーションが行われた記録領域（図７中の黒塗りのハッチング部分を参照）においては、例えば、較正用データからもアドレス情報を取得することができないばかりか、例えばＬＰＰ（Land Pre-Pit）等のプリフォーマット情報の検出も困難となるので、ＬＰＰからアドレス情報を取得することも技術的に困難となってしまう。
【００８２】
次に、パワーキャリブレーションの結果、得られた最適記録パワーを保持するレーザ光によって、例えば記録情報のデータ量に基づいて、データエリア１０２−０、データエリア１０２−１、シフテッドミドルエリア１０４ｓ−０、シフテッドミドルエリア１０４ｓ−１、リードアウトエリア１０３−１、リードインエリア１０１−０、ＲＭＡ０、ＲＭＡ１に、各種の属性を保持する記録情報が夫々記録される。特に、最適記録パワーを保持するレーザ光によって、各種の記録情報が記録された記録領域（図７中の横縞のハッチング部分を参照）においては、記録情報に含まれるアドレス信号からアドレス情報を取得することができると共に、例えばＬＰＰ等のプリフォーマット情報の検出も可能であるので、ＬＰＰからアドレス情報を取得することも可能性である。
【００８３】
他方、図７（ｂ）に示されるように、当該光ディスクに対して、全体的なフォーマット処理が行われ、ＩＤＴＡ０（ＩＤＴＡ１）、及びＯＤＴＡ０（ＯＤＴＡ１）を除く、全ての記録領域（図７（ｂ）中の右斜め斜線のハッチング部分を参照）において、例えばゼロデータ等を記録するフォーマット処理が行われる場合について考察する。この場合、データエリア１０２−０（１０２−１）内の全ての記録領域において、記録情報に含まれるアドレス信号からアドレス情報を取得することができると共に、例えばＬＰＰ等のプリフォーマット情報の検出も可能であるので、ＬＰＰからアドレス情報を取得することも可能性である。しかしながら、このような全体的なフォーマット処理には、数十分から約１時間等の長時間がかかってしまい、例えばユーザの操作における快適性を高めることはできない。
【００８４】
更に、他方、図７（ｃ）に示されるように、当該光ディスクに対して、一般的なクイックフォーマット処理が行われ、ＲＭＡ０（ＲＭＡ１）、リードインエリア１０１−０の記録領域（図７（ｃ）中の右斜め斜線のハッチング部分を参照）において、例えばゼロデータ等を記録するフォーマット処理が行われる場合について考察する。この場合、データエリア１０２−０（１０２−１）内のＦ−ＯＤＴＡ０（Ｆ−ＯＤＴＡ１）においては、例えばゼロデータ等を記録するフォーマット処理が行われない。よって、Ｆ−ＯＤＴＡ０（Ｆ−ＯＤＴＡ１）においては、例えば、較正用データからもアドレス情報を取得することができないばかりか、例えばＬＰＰ等のプリフォーマット情報の検出も困難となるので、ＬＰＰからアドレス情報を取得することも技術的に困難となってしまう。従って、一般的なクイックフォーマット処理が行われただけでは、例えば、他の情報記録装置によって、アドレス検出できない領域の存在とその位置を知ることができないため、当該光ディスクのデータエリアの全ての記録領域において、記録情報を書き換え記録することができない可能性があるという技術的な問題点が生じてしまう。
【００８５】
これに対して、本実施例においては、図７（ｄ）に示されるように、後述される情報記録装置によって、クイックフォーマット処理に先立って、例えばＤＴＡ情報等の位置情報に基づいて、Ｆ−ＯＤＴＡ０（Ｆ−ＯＤＴＡ１）において、例えばゼロデータ等を記録するフォーマット処理が行われ、当該Ｆ−ＯＤＴＡ０（Ｆ−ＯＤＴＡ１）が、初期状態（図７（ｄ）中のＦ−ＯＤＴＡ０（Ｆ−ＯＤＴＡ１）における右斜め斜線のハッチング部分を参照）とされる。或いは、本実施例においては、図７（ｅ）に示されるように、後述される情報記録装置によって、クイックフォーマット処理に先立って、例えばＤＴＡ情報等の位置情報に基づいて、Ｆ−ＯＤＴＡ０（Ｆ−ＯＤＴＡ１）において、例えば未記録状態にさせるブランク処理が行われ、当該Ｆ−ＯＤＴＡ０（Ｆ−ＯＤＴＡ１）が、初期状態（図７（ｅ）中のＦ−ＯＤＴＡ０（Ｆ−ＯＤＴＡ１）における白抜き部分を参照）とされる。
【００８６】
従って、初期状態となったＦ−ＯＤＴＡ０（Ｆ−ＯＤＴＡ１）を含むデータエリア１０２−０（１０２−１）の記録領域の全体からアドレス情報を取得しサーチすることが可能である。従って、後述される情報記録装置によって、当該光ディスク内の、初期状態となったフレキシブルＯＤＴＡを含むデータエリアの全ての記録領域において、記録情報を適切に書き換え記録することが可能となる。
【００８７】
この結果、例えばＤＶＤ−ＲＷ  ＤＬ（Dual Layer）等の２層書き換え型の光ディスクに対して、後述される情報記録装置は、例えばクイックフォーマット処理を含む初期化処理をより適切に行うことが可能である。
【００８８】
（１−５）本発明のミニマムブランク処理における具体的な手順
次に、図８を参照して、本発明のミニマムブランク処理（Minimally Blank Operation）における具体的な手順について、その作用効果の検討を含めて説明する。ここに、図８は、本発明の情報記録媒体の実施例に係る光ディスクに、本発明のミニマムブランク処理（Minimally Blank Operation）の各手順が施された記録領域のデータ構造の変化を模式的に示したデータ構造図（図８（ａ）から図８（ｅ））である。尚、前述の図７に示されたクイックフォーマット処理の説明と同様の構成には同様の符号番号を付し、同様のハッチングには同様のハッチングを付し、それらの説明は適宜省略する。
【００８９】
先ず、図８（ａ）に示されるように、前述した図７（ａ）と概ね同様にして、例えばＤＶＤレコーダー等の情報記録装置によって、先ず、ＩＤＴＡ０（ＩＤＴＡ１）や、ＯＤＴＡ０（ＯＤＴＡ１）や、Ｆ−ＯＤＴＡ０（Ｆ−ＯＤＴＡ１）におけるパワーキャリブレーションが行われる。続いて、パワーキャリブレーションの結果、得られた最適記録パワーを保持するレーザ光によって、例えば記録情報のデータ量に基づいて、データエリア１０２−０、データエリア１０２−１、シフテッドミドルエリア１０４ｓ−０、シフテッドミドルエリア１０４ｓ−１、リードアウトエリア１０３−１、リードインエリア１０１−０、ＲＭＡ０、ＲＭＡ１に、各種の属性を保持する記録情報が夫々記録される。
【００９０】
他方、図８（ｂ）に示されるように、当該光ディスクに対して、全体的なブランク処理が行われ、ＩＤＴＡ０（ＩＤＴＡ１）、及びＯＤＴＡ０（ＯＤＴＡ１）を除く、全ての記録領域（図８（ｂ）中の白抜き部分を参照）において、例えば未記録状態（消去状態）にさせるブランク処理が行われる場合について考察する。この場合、データエリア１０２−０（１０２−１）内の全ての記録領域において、例えばＬＰＰ等のプリフォーマット情報の検出が可能であるので、ＬＰＰからアドレス情報を取得することが可能である。しかしながら、このような全体的なブランク処理には、数十分から約１時間等の長時間がかかってしまい、例えばユーザの操作における快適性を高めることはできない。
【００９１】
更に、他方、図８（ｃ）に示されるように、当該光ディスクに対して、一般的なミニマムブランク処理が行われ、ＲＭＡ０（ＲＭＡ１）、リードインエリア１０１−０の記録領域（図８（ｃ）中の白抜き部分を参照）において、未記録状態（消去状態）にさせるブランク処理が行われる場合について考察する。この場合、データエリア１０２−０（１０２−１）内のＦ−ＯＤＴＡ０（Ｆ−ＯＤＴＡ１）においては、例えば未記録状態（消去状態）にさせるブランク処理が行われない。よって、Ｆ−ＯＤＴＡ０（Ｆ−ＯＤＴＡ１）においては、例えば、較正用データからもアドレス情報を取得することができないばかりか、例えばＬＰＰ等のプリフォーマット情報の検出も困難となるので、ＬＰＰからアドレス情報を取得することも技術的に困難となってしまう。従って、一般的なミニマムブランク処理が行われただけでは、例えば、他の情報記録装置によって、アドレス検出できない領域の存在とその位置を知ることができないため、当該光ディスクのデータエリアの全ての記録領域において、記録情報を書き換え記録することができない可能性があるという技術的な問題点が生じてしまう。
【００９２】
これに対して、本実施例においては、図８（ｄ）に示されるように、後述される情報記録装置によって、ミニマムブランク処理に先立って、例えばＤＴＡ情報等の位置情報に基づいて、Ｆ−ＯＤＴＡ０（Ｆ−ＯＤＴＡ１）において、例えばゼロデータ等を記録するフォーマット処理が行われ、当該Ｆ−ＯＤＴＡ０（Ｆ−ＯＤＴＡ１）が、初期状態（図８（ｄ）中のＦ−ＯＤＴＡ０（Ｆ−ＯＤＴＡ１）における右斜め斜線のハッチング部分を参照）とされる。或いは、本実施例においては、図８（ｅ）に示されるように、後述される情報記録装置によって、ミニマムブランク処理に先立って、例えばＤＴＡ情報等の位置情報に基づいて、Ｆ−ＯＤＴＡ０（Ｆ−ＯＤＴＡ１）において、例えば未記録状態にさせるブランク処理が行われ、当該Ｆ−ＯＤＴＡ０（Ｆ−ＯＤＴＡ１）が、初期状態（図８（ｅ）中のＦ−ＯＤＴＡ０（Ｆ−ＯＤＴＡ１）における白抜き部分を参照）とされる。
【００９３】
従って、初期状態となったＦ−ＯＤＴＡ０（Ｆ−ＯＤＴＡ１）を含むデータエリア１０２−０（１０２−１）の記録領域の全体からアドレス情報を取得しサーチすることが可能である。従って、後述される情報記録装置によって、当該光ディスク内の、初期状態となったフレキシブルＯＤＴＡを含むデータエリアの全ての記録領域において、記録情報を適切に書き換え記録することが可能性となる。
【００９４】
この結果、例えばＤＶＤ−ＲＷ  ＤＬ（Dual Layer）等の２層書き換え型の光ディスクに対して、後述される情報記録装置は、例えばミニマムブランク処理を含む初期化処理をより適切に行うことが可能である。
【００９５】
（２）情報記録装置の実施例
次に、図９及び図１０を参照して、本発明の情報記録装置の実施例の構成及び動作について詳細に説明する。特に、本実施例は、本発明に係る情報記録装置を光ディスク用の情報記録再生装置に適用した例である。
【００９６】
（２−１）基本構成
先ず、図９を参照して、本発明の情報記録装置に係る実施例における情報記録再生装置３００及び、ホストコンピュータ４００の基本構成について説明する。ここに、図９は、本発明の情報記録装置の実施例に係る情報記録再生装置、及び、ホストコンピュータの基本構成を示したブロック図である。尚、情報記録再生装置３００は、光ディスク１００に記録データを記録する機能と、光ディスク１００に記録された記録データを再生する機能とを備える。
【００９７】
図９を参照して情報記録再生装置３００の内部構成を説明する。情報記録再生装置３００は、ドライブ用のＣＰＵ（Central Processing Unit）３０５の制御下で、光ディスク１００に情報を記録すると共に、光ディスク１００に記録された情報を読み取る装置である。
【００９８】
情報記録再生装置３００は、光ディスク１００、光ピックアップ３０１、信号記録再生手段３０２、アドレス検出部３０３、ＣＰＵ（ドライブ制御手段）３０５、スピンドルモータ３０６、メモリ３０７、データ入出力制御手段３０８、及びバス３０９を備えて構成されている。
【００９９】
また、ホストコンピュータ４００は、ＣＰＵ（ホスト制御手段）４０１、メモリ４０２、操作制御手段４０３、操作ボタン４０４、表示パネル４０５、データ入出力制御手段４０６、及びバス４０７を備えて構成される。
【０１００】
特に、情報記録再生装置３００は、例えばモデム等の通信手段を備えたホストコンピュータ４００を同一筐体内に収めることにより、外部ネットワークと通信可能となるように構成してもよい。或いは、例えばｉ−ｌｉｎｋ等の通信手段を備えたホストコンピュータ４００のＣＰＵ（ホスト制御手段）４０１が、データ入出力制御手段３０８、及びバス３０９を介して、直接情報記録再生装置３００を制御することによって、外部ネットワークと通信可能となるように構成してもよい。
【０１０１】
光ピックアップ３０１は光ディスク１００への記録再生を行うもので、半導体レーザ装置とレンズから構成される。より詳細には、光ピックアップ３０１は、光ディスク１００に対してレーザービーム等の光ビームを、再生時には読み取り光として第１のパワーで照射し、記録時には書き込み光として第２のパワーで且つ変調させながら照射する。
【０１０２】
信号記録再生手段３０２は、光ピックアップ３０１とスピンドルモータ３０６とを制御することで光ディスク１００に対して記録又は再生を行う。より具体的には、信号記録再生手段３０２は、例えば、レーザダイオードドライバ（ＬＤドライバ）及びヘッドアンプ等によって構成されている。レーザダイオードドライバは、光ピックアップ３０１内に設けられた図示しない半導体レーザを駆動する。ヘッドアンプは、光ピックアップ３０１の出力信号、即ち、光ビームの反射光を増幅し、該増幅した信号を出力する。より詳細には、信号記録再生手段３０２は、ＯＰＣ（Optimum Power Control）処理時には、ＣＰＵ３０５の制御下で、図示しないタイミング生成器等と共に、ＯＰＣパターンの記録及び再生処理により最適なレーザパワーの決定が行えるように、光ピックアップ３０１内に設けられた図示しない半導体レーザを駆動する。特に、信号記録再生手段３０２は、光ピックアップ３０１と共に、本発明に係る「記録手段」、「再生手段」及び「初期化手段」の一例を構成する。また、信号記録再生手段３０２は、例えばレコーディングマネージメントエリアＲＭＡ０（ＲＭＡ１）に記録されたＤＴＡ情報５０ａを取得可能であるようにしてもよい。よって、信号記録再生手段３０２は、本発明に係る「取得手段」の一例を構成するようにしてもよい。
【０１０３】
アドレス検出部３０３は、信号記録再生手段３０２によって出力される、例えばプリフォーマットアドレス信号等を含む再生信号から光ディスク１００におけるアドレス（アドレス情報）を検出する。
【０１０４】
ＣＰＵ（ドライブ制御手段）３０５は、バス３０９を介して、各種制御手段に指示を行うことで、情報記録再生装置３００全体の制御を行う。尚、ＣＰＵ３０５が動作するためのソフトウェア又はファームウェアは、メモリ３０７に格納されている。特に、ＣＰＵ３０５は、本発明に係る「制御手段」の一例を構成する。
【０１０５】
スピンドルモータ３０６は光ディスク１００を回転及び停止させるもので、光ディスクへのアクセス時に動作する。より詳細には、スピンドルモータ３０６は、図示しないサーボユニット等によりスピンドルサーボを受けつつ所定速度で光ディスク１００を回転及び停止させるように構成されている。
【０１０６】
メモリ３０７は、記録再生データのバッファ領域や、信号記録再生手段３０２で使用出来るデータに変換する時の中間バッファとして使用される領域など情報記録再生装置３００におけるデータ処理全般及びＯＰＣ処理において使用される。また、メモリ３０７はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。
【０１０７】
データ入出力制御手段３０８は、情報記録再生装置３００に対する外部からのデータ入出力を制御し、メモリ３０７上のデータバッファへの格納及び取り出しを行う。情報記録再生装置３００と、ＳＣＳＩやＡＴＡＰＩ等のインターフェースを介して接続されている外部のホストコンピュータ４００（以下、適宜ホストと称す）から発行されるドライブ制御命令は、当該データ入出力制御手段３０８を介してＣＰＵ３０５に伝達される。また、記録再生データも同様にして、当該データ入出力制御手段３０８を介して、ホストコンピュータ４００に対して送受信される。
【０１０８】
ホストコンピュータ４００における、ＣＰＵ（ホスト制御手段）４０１、メモリ４０２、データ入出力制御手段４０６、及びバス４０７は、これらに対応される、情報記録再生装置３００内の構成要素と、概ね同様である。
【０１０９】
操作制御手段４０３は、ホストコンピュータ４００に対する動作指示受付と表示を行うもので、例えば記録又は再生といった操作ボタン４０４による指示をＣＰＵ４０１に伝える。ＣＰＵ４０１は、操作制御手段４０３からの指示情報を元に、データ入出力手段４０６を介して、情報記録再生装置３００に対して制御命令（コマンド）を送信し、情報記録再生装置３００全体を制御するように構成してもよい。同様に、ＣＰＵ４０１は、情報記録再生装置３００に対して、動作状態をホストに送信するように要求するコマンドを送信することができる。これにより、記録中や再生中といった情報記録再生装置３００の動作状態が把握できるためＣＰＵ４０１は、操作制御手段４０３を介して蛍光管やＬＣＤなどの表示パネル４０５に情報記録再生装置３００の動作状態を出力することができる。
【０１１０】
以上説明した、情報記録再生装置３００とホストコンピュータ４００を組み合わせて使用する一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ４０２に格納されたプログラムをＣＰＵ４０１で実行させることでレコーダ機器としての動作を行っている。また、別の具体例では、情報記録再生装置３００はディスクドライブ（以下、適宜ドライブと称す）であり、ホストコンピュータ４００はパーソナルコンピュータやワークステーションである。パーソナルコンピュータ等のホストコンピュータとドライブはＳＣＳＩやＡＴＡＰＩといったデータ入出力制御手段３０８（４０６）を介して接続されており、ホストコンピュータにインストールされているライティングソフトウェア等のアプリケーションが、ディスクドライブを制御する。
【０１１１】
（２−２）動作原理
次に、図１０に加えて前述した図９等を適宜参照して、本発明の情報記録装置の実施例に係る情報記録再生装置における動作原理について説明する。ここに、図１０は、本発明の情報記録装置の実施例に係る情報記録再生装置による、クイックフォーマット処理（Quick Format Operation）及びミニマムブランク処理（Minimally Blank Operation）を示したフローチャートである。
【０１１２】
図１０に示されるように、クイックフォーマット処理及びミニマムブランク処理においては、先ず、ＣＰＵ（ドライブ制御手段）３０５の制御下で、ホストコンピュータから、クイックフォーマット処理、又はミニマムブランク処理を起動させるコマンドが発呼されたか否かが判定される（ステップＳ１０１）。ここで、クイックフォーマット処理、又はミニマムブランク処理を起動させるコマンドが発呼された場合（ステップＳ１０１：Ｙｅｓ）、ＣＰＵ３０５の制御下で、ＲＭＡに記録されている、最新のＲＭＤ（Recording Management Data）が再生され、ＤＴＡ情報が読み取られる（ステップＳ１０２）。
【０１１３】
次に、ＣＰＵ３０５の制御下で、Ｆ−ＯＤＴＡ０（Ｆ−ＯＤＴＡ１）が使用されているか否かが判定される（ステップＳ１０３）。ここで、Ｆ−ＯＤＴＡ０（Ｆ−ＯＤＴＡ１）が使用されている場合（ステップＳ１０３：Ｙｅｓ）、ＣＰＵ３０５の制御下で、ＤＴＡ情報に含まれる、対象となるデータ位置から、パワーキャリブレーションに使用された、Ｆ−ＯＤＴＡ０（Ｆ−ＯＤＴＡ１）内のアドレス等の位置情報が取得される（ステップＳ１０４）。
【０１１４】
次に、ＣＰＵ３０５の制御下で、パワーキャリブレーションに使用された、Ｆ−ＯＤＴＡ０（Ｆ−ＯＤＴＡ１）内のアドレス等の位置情報によって示される記録領域において、例えばゼロデータ等を記録するフォーマット処理が行われる、或いは、例えば未記録状態にさせるブランク処理が行われる（ステップＳ１０５）。
【０１１５】
次に、ＣＰＵ３０５の制御下で、一般的なクイックフォーマット処理が行われ、ＲＭＡ０（ＲＭＡ１）、リードインエリア１０１−０の記録領域において、例えばゼロデータ等を記録するフォーマット処理が行われる。或いは、一般的なミニマムブランク処理が行われ、ＲＭＡ０（ＲＭＡ１）、リードインエリア１０１−０の記録領域において、未記録状態（消去状態）にさせるブランク処理が行われる。
【０１１６】
他方、ステップＳ１０３の判定の結果、Ｆ−ＯＤＴＡ０（Ｆ−ＯＤＴＡ１）が使用されていない場合（ステップＳ１０３：Ｎｏ）、ステップＳ１０４及びＳ１０５は、省略される。
【０１１７】
（２−３）動作原理の他の具体例
次に、図１１を参照して、本発明の情報記録装置の実施例に係る情報記録再生装置における動作原理の他の具体例について説明する。ここに、図１１は、本発明の情報記録装置の実施例に係る情報記録再生装置による、クイックフォーマット処理（Quick Format Operation）及びミニマムブランク処理（Minimally Blank Operation）の他の具体例を示したフローチャートである。尚、前述した図１０における処理と同様の処理には、同様のステップ番号を付し、それらの説明は適宜省略する。
【０１１８】
図１１に示されるように、ＣＰＵ３０５の制御下で、Ｆ−ＯＤＴＡ０（Ｆ−ＯＤＴＡ１）が使用されているか否かが判定される（ステップＳ１０３）。ここで、Ｆ−ＯＤＴＡ０（Ｆ−ＯＤＴＡ１）が使用されている場合（ステップＳ１０３：Ｙｅｓ）、ＣＰＵ３０５の制御下で、ＤＴＡ情報に含まれる、対象となるデータ位置から、シフテッドミドルエリア１０４ｓ−０（１０４ｓ−１）の位置を示すアドレス等の位置情報が取得され、当該シフテッドミドルエリア１０４ｓ−０（１０４ｓ−１）の位置を示す位置情報から一義的に決定されるＦ−ＯＤＴＡ０（Ｆ−ＯＤＴＡ１）の位置を示すアドレス等の位置情報が取得される（ステップＳ２０１）。
【０１１９】
次に、ＣＰＵ３０５の制御下で、取得された位置情報に基づいて、Ｆ−ＯＤＴＡ０（Ｆ−ＯＤＴＡ１）の記録領域の全体において、例えばゼロデータ等を記録するフォーマット処理が行われる、或いは、例えば未記録状態にさせるブランク処理が行われる（ステップＳ２０２）。
【０１２０】
（３）情報記録媒体の第２実施例
次に、図１２を参照して、本発明の情報記録媒体の第２実施例に係る単層型光ディスクの詳細構成について説明する。より具体的には、図１２を参照して、単層型光ディスクのデータ構造、該光ディスクの記録領域におけるＥＣＣブロックを構成する物理的セクタ番号等のアドレス、並びに、該光ディスクの記録又は再生手順について説明する。ここに、図１２は、本発明の情報記録媒体の第２実施例に係る単層型光ディスクのデータ構造及び該光ディスクの記録領域におけるＥＣＣブロックを構成する物理的セクタ番号等のアドレス、並びに、該光ディスクにおける記録又は再生方法を示した概念的グラフである。尚、図１２中の縦軸は、例えば１６進数で表現されたセクタ番号等のアドレスを示し、横軸は、光ディスクの半径方向の相対的な位置を示す。
【０１２１】
図１２に示されるように、本発明の情報記録媒体の実施例に係る単層型光ディスク１００ａは、図示しない透明基板に積層された記録層を備えて構成されている。例えばインクリメンタルレコーディング方式や、ディスクアットワンス方式等において、記録情報のデータ量が光ディスクの全記録容量より比較的に少ない場合、データエリア１０２の外周端を内周側に配置させるように構成してもよい。即ち、記録層には、内周側から外周側にかけて、前述のインナーディスクテスティングエリアＩＤＴＡ、レコーディングマネージメントエリアＲＭＡ、リードインエリア１０１、データエリア１０２、シフテッドリードアウトエリア１０３ｓ、フレキシブルアウターディスクテスティングエリアＦ−ＯＤＴＡ、リードアウトエリア１０３、アウターディスクテスティングエリアＯＤＴＡが設けられている。尚、本願発明に係る「較正用エリア」の他の具体例がＩＤＴＡ、Ｆ−ＯＤＴＡ、及びＯＤＴＡによって構成されている。また、ＩＤＴＡ、Ｆ−ＯＤＴＡ、及びＯＤＴＡ内の矢印は、パワーキャリブレーションのために記録領域が消費されていく方向を示している。
【０１２２】
上述した実施例によれば、例えばＤＶＤレコーダー等の情報記録装置によって、例えばクイックフォーマット処理やミニマムブランク処理等の初期化処理に先立って、例えばＦ−ＯＤＴＡ０（Ｆ−ＯＤＴＡ１）等の較正用エリアにおいて、フォーマット処理やブランク処理が行われ、初期状態とされる。
【０１２３】
この結果、一の情報記録装置によって、例えばクイックフォーマット処理やミニマムブランク処理等の初期化処理が行われた光ディスクが、フレキシブルＯＤＴＡの位置を識別できない他の情報記録装置に装着され、記録情報の記録が試みられる場合でも、初期状態となったフレキシブルＯＤＴＡを含むデータエリアの記録領域の全体からアドレス情報を取得しサーチすることが可能である。従って、他の情報記録装置によって、当該光ディスクにおける、初期状態となったフレキシブルＯＤＴＡを含むデータエリアの全ての記録領域において、記録情報を適切に書き換え記録することが可能性となる。
【０１２４】
以上の結果、例えばＤＶＤ−ＲＷ  ＳＬ（Single Layer）等の書き換え型の光ディスクに対して、情報記録装置は、例えばクイックフォーマット処理やミニマムブランク処理を含む初期化処理をより適切に行うことが可能である。
【０１２５】
上述した実施例では、情報記録媒体の一具体例として、例えばブルーレイ、赤色ＬＤ光、又は赤外光等のレーザ光によって記録又は再生が可能な、２層型、単層型の光ディスクについて説明した。加えて、本発明は、例えば、３層以上の記録層を備える多層型（マルチプルレイヤ型）の光ディスクにも適用可能である。更に、他の高密度記録或いは高転送レート対応の各種の情報記録媒体にも適用可能である。
【０１２６】
また、上述した実施例では、情報記録装置の一具体例として、例えば２層型や単層型の光ディスクに対応した情報記録再生装置について説明した。加えて、本発明は、例えば、３層以上の記録層を備える多層型（マルチプルレイヤ型）の光ディスクに対応した情報記録再生装置にも適用可能である。更に、他の高密度記録或いは高転送レート対応の各種の情報記録媒体に対応した情報記録再生装置にも適用可能である。
【０１２７】
本発明は、上述した実施例に限られるものではなく、請求の範囲及び明細書全体から読み取れる発明の要旨或いは思想に反しない範囲で適宜変更可能であり、そのような変更を伴う、情報記録装置及び方法、並びに、コンピュータプログラムもまた本発明の技術的範囲に含まれるものである。
【図面の簡単な説明】
【０１２８】
【図１】本発明の情報記録媒体の実施例に係る複数の記録領域を有する光ディスクの基本構造を示した概略平面図（図１（ａ））、及び、該光ディスクの概略断面図に対応付けられた、その半径方向における記録領域構造の図式的概念図（図１（ｂ））である。
【図２】本発明の情報記録媒体の実施例に係る２層型光ディスクのデータ構造及び該光ディスクの記録領域におけるＥＣＣブロックを構成する物理的セクタ番号等のアドレス、並びに、該光ディスクのオポジット方式による記録又は再生方法を示した一の概念的グラフである。
【図３】本発明の情報記録媒体の実施例に係る２層型光ディスクのデータ構造及び該光ディスクの記録領域におけるＥＣＣブロックを構成する物理的セクタ番号等のアドレス、並びに、該光ディスクのオポジット方式による記録又は再生方法を示した他の概念的グラフである。
【図４】本発明の較正用エリアに係るＦ−ＯＤＴＡ０（Ｆ−ＯＤＴＡ１）の位置の設定方法の一具体例を図式的に示した模式図である。
【図５】本発明の較正用エリアに係るＦ−ＯＤＴＡ０（Ｆ−ＯＤＴＡ１）において較正用データが記録されていく順番の一具体例を図式的に示した模式図である。
【図６】本発明の位置情報の一具体例を示したテーブル（図６（ａ））、及び本発明の位置情報に係るＤＴＡ情報のデータ構造の一具体例を示したテーブル（図６（ｂ））である。
【図７】本発明の情報記録媒体の実施例に係る光ディスクに、本発明のクイックフォーマット処理（Quick Format Operation）の各手順が施された記録領域のデータ構造の変化を模式的に示したデータ構造図（図７（ａ）から図７（ｅ））である。
【図８】本発明の情報記録媒体の実施例に係る光ディスクに、本発明のミニマムブランク処理（Minimally Blank Operation）の各手順が施された記録領域のデータ構造の変化を模式的に示したデータ構造図（図８（ａ）から図８（ｅ））である。
【図９】本発明の情報記録装置の実施例に係る情報記録再生装置、及び、ホストコンピュータの基本構成を示したブロック図である。
【図１０】本発明の情報記録装置の実施例に係る情報記録再生装置による、クイックフォーマット処理（Quick Format Operation）及びミニマムブランク処理（Minimally Blank Operation）を示したフローチャートである。
【図１１】本発明の情報記録装置の実施例に係る情報記録再生装置による、クイックフォーマット処理（Quick Format Operation）及びミニマムブランク処理（Minimally Blank Operation）の他の具体例を示したフローチャートである。
【図１２】本発明の情報記録媒体の第２実施例に係る単層型光ディスクのデータ構造及び該光ディスクの記録領域におけるＥＣＣブロックを構成する物理的セクタ番号等のアドレス、並びに、該光ディスクにおける記録又は再生方法を示した概念的グラフである。
【符号の説明】
【０１２９】
１…センターホール、１０…トラック、１１…ＥＣＣブロック、５０…位置情報、５０ａ…位置情報、１００…光ディスク、１０１…リードインエリア、１０２…データエリア、１０３…リードアウトエリア、１０４…ミドルエリア、１０４ｓ…シフテッドミドルエリア、３００…情報記録再生装置、３０１…光ピックアップ、３０２…信号記録再生手段、３０３…アドレス検出部、３０５…ＣＰＵ（ドライブ制御手段）、３０６…スピンドルモータ、３０７（４０２）…メモリ、３０８（４０６）…データ入出力制御手段、３０９（４０７）…バス、４００…ホストコンピュータ、４０１…ＣＰＵ（ホスト用）、４０３…操作制御手段、４０４…操作ボタン、４０５…表示パネル、ＣＤＺ…コントロールデータゾーン、ＲＭＡ…レコーディングマネージメントエリア、ＤＴＡ…ディスクテスティングエリア、ＬＢ…レーザ光
【図１】
2007066398.tif 000003
【図２】
2007066398.tif 000004
【図３】
2007066398.tif 000005
【図４】
2007066398.tif 000006
【図５】
2007066398.tif 000007
【図６】
2007066398.tif 000008
【図７】
2007066398.tif 000009
【図８】
2007066398.tif 000010
【図９】
2007066398.tif 000011
【図１０】
2007066398.tif 000012
【図１１】
2007066398.tif 000013
【図１２】
2007066398.tif 000014